(57)【特許請求の範囲】
【請求項１】
印刷ジョブの実行要求元から、実行要求元のユーザー情報が付加された印刷ジョブを受信する通信部と、
前記通信部が受信した印刷ジョブを実行する印刷部と、
複数の排紙トレイを含み、前記複数の排紙トレイのうちいずれかの排紙トレイに、前記印刷部で実行された印刷ジョブの印刷物を排出する排出部と、
前記複数の排紙トレイにそれぞれ設けられ、対応する前記排紙トレイにおける印刷物の有無に応じて出力値を変化させる複数の排紙センサーと、
前記複数の排紙センサーの各出力値に基づいて、対応する前記排紙トレイにおける印刷物の有無検知を行い、前記通信部が印刷ジョブを受信すると、前記複数の排紙トレイのうち印刷物が存在しない排紙トレイを優先的に排出先として設定し、設定した排出先に、前記印刷部で実行された印刷ジョブの印刷物を排出させる制御部と、
前記印刷部で実行された印刷ジョブの排出先を記憶する記憶部と、
ユーザーが排出先の報知を受けるために入力する情報である報知要求情報の入力をユーザーから受け付ける受付部と、
前記受付部に入力された前記報知要求情報に対応する前記ユーザー情報が付加された印刷ジョブの排出先を報知する報知部と、
情報を表示する表示部と、を備え、
前記制御部は、前記受付部に前記報知要求情報が入力されたとき、前記受付部に入力された前記報知要求情報に対応する前記ユーザー情報が付加された印刷ジョブの排出先に印刷物が存在しないことを検知すれば、前記受付部に入力された前記報知要求情報に対応する前記ユーザー情報が付加された印刷ジョブを印刷物が紛失した印刷物紛失ジョブと認定し、印刷物が紛失した旨を報知するための印刷物紛失情報を前記表示部に表示させ、
前記制御部は、前記印刷物紛失ジョブの印刷物を誤って持ち去ったユーザーを特定するためのユーザー特定情報を前記表示部に表示させるよう構成され、
前記印刷物紛失ジョブの実行前に、前記印刷物紛失ジョブと排出先が同じ第１印刷ジョブを実行させ、前記印刷物紛失ジョブの排出先に印刷物が存在することを検知したまま前記印刷物紛失ジョブを実行させた後、前記印刷物紛失ジョブに付加された前記ユーザー情報に対応する前記報知要求情報が入力されるまでの間に、前記印刷物紛失ジョブの排出先に印刷物が存在しないことを検知した場合、または、
前記印刷物紛失ジョブの実行後に、前記印刷物紛失ジョブの排出先に印刷物が存在することを検知したまま前記第１印刷ジョブを実行させた後、前記印刷物紛失ジョブに付加された前記ユーザー情報に対応する前記報知要求情報が入力されるまでの間に、前記印刷物紛失ジョブの排出先に印刷物が存在しないことを検知した場合、
前記制御部は、前記ユーザー特定情報を表示するための第１条件が満たされていると判断し、前記ユーザー特定情報として、前記第１印刷ジョブの実行要求元のユーザーを示す情報を表示させ、
前記印刷物紛失ジョブの実行後、前記印刷物紛失ジョブに付加された前記ユーザー情報に対応する前記報知要求情報が入力されるまでの間に、前記印刷物紛失ジョブとは排出先が異なる第２印刷ジョブの排出先に印刷物が存在することを検知したまま、前記印刷物紛失ジョブの排出先に印刷物が存在しないことを検知した場合、
前記制御部は、前記ユーザー特定情報を表示するための第２条件が満たされていると判断し、前記ユーザー特定情報として、前記第２印刷ジョブの実行要求元のユーザーを示す情報を表示させることを特徴とする画像形成装置。
【請求項２】
前記制御部は、前記第１条件および前記第２条件の両方が満たされていると判断したとき、前記ユーザー特定情報として、前記第１印刷ジョブの実行要求元のユーザーを示す情報を少なくとも表示させることを特徴とする請求項１に記載の画像形成装置。
【発明の詳細な説明】
【技術分野】
【０００１】
本発明は、用紙に画像を印刷する印刷ジョブの実行が可能な画像形成装置に関する。
【背景技術】
【０００２】
従来、用紙に画像を印刷する印刷ジョブの実行が可能な画像形成装置が知られている。このような画像形成装置は、印刷ジョブの実行によって得られた印刷物を排紙トレイに排出する。
【０００３】
ここで、画像形成装置には、排紙トレイが複数設置されたものがある。たとえば、排紙トレイが複数設置された画像形成装置は、印刷ジョブを実行するとき、複数の排紙トレイのうちユーザーにより選択された排紙トレイを排出先として設定し、その設定した排出先に印刷物を排出する（たとえば、特許文献１参照）。
【先行技術文献】
【特許文献】
【０００４】
【特許文献１】特開２０１１−２３２８０９号公報
【発明の概要】
【発明が解決しようとする課題】
【０００５】
排紙トレイが複数設置された画像形成装置では、印刷ジョブの実行を新たに要求するときに、先行印刷ジョブの印刷物が排出されている排紙トレイとは異なる排紙トレイを排出先として選択しておけば、先行印刷ジョブの印刷物と後行印刷ジョブの印刷物とが同一の排紙トレイに混在した状態にはならない。したがって、印刷物を取り出すときに、印刷物を仕分ける作業などを行わなくてもよくなる。
【０００６】
しかし、ユーザーによっては、印刷ジョブの実行を要求する際に、排紙トレイの選択をし忘れる場合がある。また、設定作業が煩わしいので、排紙トレイの選択を意図的にしない場合もある。これらの場合には、たとえば、デフォルトの排紙トレイが排出先として設定される。
【０００７】
あるいは、ユーザーによっては、毎回のように、複数の排紙トレイのうち所定の排紙トレイのみを排出先として選択する場合もある。すなわち、当該ユーザーは、所定の排紙トレイに印刷物が残っているか否かにかかわらず、所定の排紙トレイを排出先として選択する。
【０００８】
これらの結果、画像形成装置に排紙トレイが複数設置されていても、先行印刷ジョブの印刷物と後行印刷ジョブの印刷物とが同一の排紙トレイに混在した状態になってしまうことは多々ある。この場合、印刷物を取りに来たユーザーからすると、印刷物を仕分ける作業を行わなければならないので、煩わしく利便性が悪い。
【０００９】
また、先行印刷ジョブの印刷物と後行印刷ジョブの印刷物とが同一の排紙トレイに混在した状態になっていると、当該状態になって以降、最初に印刷物を取りに来たユーザーが誤って両方の印刷物を持ち去ってしまう場合がある。この場合には、誤って持ち去られた印刷物が紛失状態となってしまう。
【００１０】
本発明は、上記課題を解決するためになされたものであり、印刷物を取りに来たユーザーの利便性を向上させるとともに、印刷物が紛失するのを抑制することが可能な画像形成装置を提供することを目的とする。
【課題を解決するための手段】
【００１１】
上記目的を達成するため、本発明の画像形成装置は、印刷ジョブの実行要求元から、実行要求元のユーザー情報が付加された印刷ジョブを受信する通信部と、通信部が受信した印刷ジョブを実行する印刷部と、複数の排紙トレイを含み、複数の排紙トレイのうちいずれかの排紙トレイに、印刷部で実行された印刷ジョブの印刷物を排出する排出部と、複数の排紙トレイにそれぞれ設けられ、対応する排紙トレイにおける印刷物の有無に応じて出力値を変化させる複数の排紙センサーと、複数の排紙センサーの各出力値に基づいて、対応する排紙トレイにおける印刷物の有無検知を行い、通信部が印刷ジョブを受信すると、複数の排紙トレイのうち印刷物が存在しない排紙トレイを優先的に排出先として設定し、設定した排出先に、印刷部で実行された印刷ジョブの印刷物を排出させる制御部と、印刷部で実行された印刷ジョブの排出先を記憶する記憶部と、ユーザーが排出先の報知を受けるために入力する情報である報知要求情報の入力をユーザーから受け付ける受付部と、受付部に入力された報知要求情報に対応するユーザー情報が付加された印刷ジョブの排出先を報知する報知部と、を備える。
【００１２】
本発明の構成では、印刷ジョブが実行されると、複数の排紙トレイのうち、印刷物が存在しない排紙トレイ（排出された印刷物が残っていない排紙トレイ）が優先的に排出先として設定され、その設定された排出先に、印刷ジョブの印刷物が排出される。これにより、複数の印刷ジョブ（先行印刷ジョブと後行印刷ジョブ）の各印刷物が同一の排紙トレイに混在した状態になるのを抑制することができる。したがって、印刷物を取りに来たときに、印刷物を仕分ける作業を行わなくてもよくなるので、ユーザーの利便性が向上する。また、印刷物を取りに来たユーザーが自身の印刷物と一緒に別ユーザーの印刷物も誤って持ち去ってしまう（別ユーザーの印刷物が紛失してしまう）という不都合の発生も抑制することができる。
【００１３】
さらに、本発明の構成では、報知要求情報を入力すると、その報知要求情報に対応するユーザー情報が付加された印刷ジョブの排出先が報知される。これにより、印刷物を取りに来たユーザーからすると、複数の排紙トレイのうちいずれの排紙トレイに自身の印刷物が排出されているかを簡単に知ることができ、結果として自身の印刷物を探し出す作業を省くことができるので、利便性が良い。また、２つ以上の排紙トレイにそれぞれ印刷物が存在する状態において、印刷物を取りに来たユーザーが別ユーザーの印刷物が排出されている排紙トレイから当該印刷物を誤って持ち去ってしまう、という不都合が発生し難くなるので、印刷物が紛失してしまうのを抑制することもできる。
【発明の効果】
【００１４】
以上のように、本発明の構成では、印刷物を取りに来たユーザーの利便性を向上させることができるとともに、印刷物が紛失するのを抑制することができる。
【図面の簡単な説明】
【００１５】
【図１】本発明の一実施形態による画像形成装置の構成を示す図
【図２】本発明の一実施形態による画像形成装置のハードウェア構成を示す図
【図３】本発明の一実施形態による画像形成装置において排出先を設定するときに行われる処理の流れを説明するためのフローチャート
【図４】本発明の一実施形態による画像形成装置において報知要求情報の入力を受け付けるときに表示される画面の図
【図５】本発明の一実施形態による画像形成装置において排出先を報知するときに表示される画面の図
【図６】本発明の一実施形態による画像形成装置において排出先を報知するときに行われる処理の流れを説明するためのフローチャート
【図７】本発明の一実施形態による画像形成装置において印刷物が紛失した旨を報知するときに表示される画面の図
【図８】本発明の一実施形態による画像形成装置において印刷物を誤って持ち去った可能性のあるユーザーを報知するときに表示される画面の図
【発明を実施するための形態】
【００１６】
本発明の一実施形態による画像形成装置について、印刷機能を含む複数種の機能を搭載する複合機を例にとって説明する。すなわち、以下に説明する画像形成装置は、用紙に画像を印刷する印刷ジョブの実行が可能な装置である。
【００１７】
＜画像形成装置の全体構成＞
図１に示すように、画像形成装置１００は、画像読取部１および印刷部２を備える。画像読取部１は、原稿を読み取って画像データを生成する。印刷部２は、印刷ジョブを実行する機構部である。この印刷部２は、用紙搬送路２０に沿って用紙Ｐを搬送しつつ、画像データに基づきトナー像を形成する。そして、印刷部２は、搬送中の用紙Ｐにトナー像を印刷する。
【００１８】
印刷部２は、給紙部３、用紙搬送部４、画像形成部５および定着部６によって構成される。給紙部３は、ピックアップローラー３１および給紙ローラー対３２を含み、用紙カセット３３に収容された用紙Ｐを用紙搬送路２０に供給する。用紙搬送部４は、複数の搬送ローラー対４１を含み、用紙搬送路２０に沿って用紙Ｐを搬送する。
【００１９】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。定着部６は、加熱ローラー６１および加圧ローラー６２を含み、用紙Ｐに転写されたトナー像を加熱および加圧して定着させる。
【００２０】
また、画像形成装置１００は、操作パネル７を備える。操作パネル７は、タッチパネルディスプレイ７１を含む。タッチパネルディスプレイ７１は、ソフトキーやメッセージなどを表示し、画像形成装置１００に関する各種設定をユーザーから受け付ける。なお、操作パネル７には、スタートキーやテンキーなどのハードキー７２も設けられる。
【００２１】
ここで、画像形成装置１００は、複数の排紙トレイ８１を含む仕分け装置８を備える。この仕分け装置８は、印刷ジョブの印刷物（印刷部２による印刷ジョブの実行によって画像が印刷された印刷済み用紙Ｐ）の搬入を印刷部２から受け入れる。そして、仕分け装置８は、複数の排紙トレイ８１のうちいずれかの排紙トレイ８１に、印刷部２からの印刷物を排出する。なお、仕分け装置８は「排出部」に相当する。
【００２２】
複数の排紙トレイ８１には、それぞれ、排紙センサー８２が設けられる。排紙センサー８２は、対応する排紙トレイ８１における印刷物の有無（印刷物が排出されたまま残っているか否か）に応じて出力値を変化させる。
【００２３】
たとえば、排紙センサー８２は、排紙トレイ８１の載置面（印刷物が載置される面）側から載置面の上方に向けて光を発光する発光部、および、反射光を受光する受光部を有する光センサーである。この光センサーを用いた排紙センサー８２では、排紙トレイ８１に印刷物が存在するときには、発光部からの光が印刷物によって反射されるので、その反射光を受光部が受光する。一方で、排紙トレイ８１に印刷物が存在しないときには、発光部からの光は印刷物で反射されない（受光部は反射光を受光しない）。したがって、排紙トレイ８１に印刷物が存在するときと存在しないときとで排紙センサー８２の出力値が変化する。
【００２４】
あるいは、排紙センサー８２として、発光部と受光部との間を移動するアクチュエーターを検知対象とする光センサーを用いてもよい。たとえば、アクチュエーターは、排紙トレイ８１に印刷物が排出されたとき（印刷物が存在するとき）、印刷物に当接することによって回動し、発光部と受光部との間の光路を遮断（または、開放）する。一方で、アクチュエーターは、排紙トレイ８１から印刷物が取り出されたとき（印刷物が存在しないとき）、印刷物との当接が解除されることによって元のポジションに戻り、発光部と受光部との間の光路を開放（または、遮断）する。したがって、この光センサーを用いた場合にも、排紙トレイ８１に印刷物が存在するときと存在しないときとで排紙センサー８２の出力値が変化する。
【００２５】
また、複数の排紙トレイ８１には、それぞれ、ランプ８３が設けられる。特に限定されないが、ランプ８３はＬＥＤである。なお、排紙トレイ８１にランプ８３を設けなくてもよい。
【００２６】
＜画像形成装置のハードウェア構成＞
図２に示すように、画像形成装置１００は、制御部１１０を備える。制御部１１０は、ＣＰＵ１１１、画像処理部１１２および記憶部１１３を含む。画像処理部１１２は、画像処理専用のＡＳＩＣなどからなり、画像データに対して各種画像処理（拡大／縮小、濃度変換およびデータ形式変換など）を施す。記憶部１１３は、ＲＯＭ、ＲＡＭおよびＨＤＤなどからなる。この記憶部１１３には、制御用のプログラムおよびデータが記憶される。そして、制御部１１０は、記憶部１１３に記憶された制御用のプログラムおよびデータに基づき、画像形成装置１００の各部の動作を制御する。
【００２７】
具体的には、制御部１１０は、画像読取部１および印刷部２にそれぞれ接続され、画像読取部１の読取動作および印刷部２の印刷動作を制御する。また、制御部１１０は、操作パネル７に接続され、操作パネル７の表示動作を制御したり、操作パネル７に対して行われた操作を検知したりする。
【００２８】
また、制御部１１０は、仕分け装置８と接続され、仕分け装置８の仕分け動作を制御する。制御部１１０は、仕分け装置８の仕分け動作を制御するため、複数の排紙トレイ８１にそれぞれ設けられた複数の排紙センサー８２の各出力値を検知する。そして、制御部１１０は、複数の排紙センサー８２の各出力値に基づき、複数の排紙トレイ８１のうちから印刷物の排出先を設定する（排出先の自動振り分けを行う）。排出先の設定については、後に詳細に説明する。
【００２９】
なお、排紙トレイ８１にランプ８３が設けられた構成では、制御部１１０はランプ駆動部８４と接続される。そして、制御部１１０は、ランプ駆動部８４を制御し、ランプ８３を点消灯させる。
【００３０】
また、制御部１１０は、通信部１２０と接続される。この通信部１２０は、ＬＡＮ（Ｌｏｃａｌ  Ａｒｅａ  Ｎｅｔｗｏｒｋ）などのネットワークを介して、パーソナルコンピューター２００（以下、ＰＣ２００と称する）と通信可能に接続される。ＰＣ２００は、画像形成装置１００のユーザーによって使用されるものであり、ノート型やデスクトップ型のパーソナルコンピューターである。
【００３１】
ここで、画像形成装置１００をプリンターとして使用する場合、ユーザーはＰＣ２００を用いて文書などの画像の画像データを作成し、ＰＣ２００を介して画像形成装置１００に対して印刷ジョブの実行を要求する。たとえば、ＰＣ２００は、印刷設定画面（図示せず）を表示し、印刷条件（たとえば、印刷部数や用紙サイズなど）の設定を受け付ける。そして、この印刷設定画面の画面内に配された所定アイコン（印刷ジョブの実行要求を受け付けるためのアイコン）を操作することにより、画像形成装置１００に対して印刷ジョブの実行を要求することができる。
【００３２】
ＰＣ２００は、所定アイコンに対する操作を受け付けると、印刷ジョブのジョブデータを生成し、印刷ジョブのジョブデータを画像形成装置１００へ送信する。たとえば、印刷ジョブのジョブデータには、印刷すべき画像の画像データ、印刷条件、印刷ジョブの実行要求、および、印刷ジョブの実行要求元のユーザーを示すユーザー情報（実行要求元のＰＣ２００にログインしたユーザーを示すユーザーＩＤ）などが含まれる。
【００３３】
ＰＣ２００からの印刷ジョブは、通信部１２０が受信する。そして、制御部１１０は、印刷ジョブのジョブデータを確認し、当該ジョブデータに基づく印刷ジョブを印刷部２に実行させる。
【００３４】
＜排出先の設定＞
制御部１１０は、印刷ジョブの実行要求を受けると、仕分け装置８に設けられた複数の排紙トレイ８１のうち、印刷物が排出されていない空の排紙トレイ８１を印刷物の排出先として設定する。すなわち、印刷ジョブの実行時に、空の排紙トレイ８１が１つでも残っていれば、印刷物は空の排紙トレイ８１に排出される。
【００３５】
以下に、図３に示すフローチャートを参照し、排出先の設定時に行う処理の流れについて説明する。図３に示すフローチャートは、通信部１２０が印刷ジョブを受信したときにスタートする。なお、排出先の設定は、通信部１２０が印刷ジョブを受信してから、印刷部２が仕分け装置８へ印刷物を搬入するまでの期間内に行われればよい。
【００３６】
ステップＳ１において、制御部１１０は、複数の排紙トレイ８１について、印刷物の有無検知（印刷物が排出されたまま残っているか否かの検知）を行う。この印刷物の有無検知は、複数の排紙センサー８２の各出力値に基づき行われる。
【００３７】
ステップＳ２において、制御部１１０は、印刷物が排出されていない空の排紙トレイ８１が存在するか否かを判断する。その結果、空の排紙トレイ８１が存在すると制御部１１０が判断した場合には、ステップＳ３に移行し、空の排紙トレイ８１が存在しないと制御部１１０が判断した場合には、ステップＳ４に移行する。
【００３８】
ステップＳ３に移行した場合、制御部１１０は、空の排紙トレイ８１を優先的に排出先として設定する。たとえば、複数の排紙トレイ８１には、それぞれ、優先順位が予め定められる（デフォルトの排紙トレイ８１の優先順位が第１位とされる）。そして、制御部１１０は、空の排紙トレイ８１のうち、優先順位が最も高い排紙トレイ８１を排出先として設定する。一例として、デフォルトの排紙トレイ８１が空状態であれば、他の排紙トレイ８１が空状態であっても、デフォルトの排紙トレイ８１が排出先として設定される。別の例として、デフォルトの排紙トレイ８１が空状態ではなく、他の排紙トレイ８１が空状態であれば、空の排紙トレイ８１（デフォルトの排紙トレイ８１以外の排紙トレイ８１）のうち、優先順位が最も高い排紙トレイ８１が排出先として設定される。
【００３９】
ステップＳ４に移行した場合、制御部１１０は、全ての排紙トレイ８１のうちから排出先を設定する。たとえば、制御部１１０は、空の排紙トレイ８１が存在しない場合（複数の排紙トレイ８１の全てに印刷物が排出されている場合）、優先順位が最も高いデフォルトの排紙トレイ８１を排出先として設定する。ただし、デフォルトの排紙トレイ８１を排出先として設定して以降も、空の排紙トレイ８１が存在しない状態が続いた場合には、デフォルトの排紙トレイ８１以外の排紙トレイ８１を排出先として設定してもよい。
【００４０】
排出先の設定後、ステップＳ５に移行する。ステップＳ５に移行すると、制御部１１０は、排出先として設定した排紙トレイ８１を仕分け装置８に通知する。すなわち、制御部１１０は、仕分け装置８に指示を与え、排出先として設定した排紙トレイ８１に印刷物を排出させる。
【００４１】
＜排出先の報知＞
図２に示すように、画像形成装置１００は、ユーザーが排出先の報知を受けるために入力する情報である報知要求情報の入力をユーザーから受け付ける受付部１０を備える。そして、制御部１１０は、受付部１０に報知要求情報が入力されると、当該入力された報知要求情報に対応するユーザー情報が付加された印刷ジョブの排出先を報知するための処理を行う。
【００４２】
この処理を行うため、記憶部１１３には印刷ジョブのジョブ実行履歴が記憶される。そして、制御部１１０は、印刷部２に印刷ジョブを実行させる度に、ジョブ実行履歴を更新させる。たとえば、印刷ジョブの実行日や、印刷ジョブの実行要求元ユーザーを示す情報（実行要求元のＰＣ２００にログインしたユーザーを示すユーザーＩＤ）などに加えて、印刷ジョブの排出先もジョブ実行履歴として記憶部１１３に記憶される。
【００４３】
たとえば、画像形成装置１００には、受付部１０として、ユーザー所有のＩＣカードに記憶された情報を読み取るカードリーダー９が設けられる。特に限定されないが、ＩＣカードは社員ＩＤを記憶する社員証であり、カードリーダー９は社員証に記憶された社員ＩＤを読み取る。制御部１１０は、カードリーダー９によって社員ＩＤが読み取られると、報知要求情報が入力されたと判断する。すなわち、制御部１１０は、社員ＩＤを報知要求情報として扱う。
【００４４】
報知要求情報として社員ＩＤが入力されると、制御部１１０は、社員ＩＤに対応するユーザー情報を判別する。なお、ユーザー情報というのは、ＰＣ２００から画像形成装置１００に対して印刷ジョブの実行を要求するときに自動的に印刷ジョブに付加される情報であり、印刷ジョブの実行要求元ユーザーを示す情報（実行要求元のＰＣ２００にログインしたユーザーを示すユーザーＩＤ）である。たとえば、社員ＩＤとユーザー情報との対応関係を示す対応関係情報（テーブル）が予め記憶部１１３に記憶されており、制御部１１０は、対応関係情報に基づき、報知要求情報として入力された社員ＩＤに対応するユーザー情報を判別し、その後、ジョブ実行履歴に基づき、当該判別したユーザー情報が付加された印刷ジョブを判別する。すなわち、制御部１１０は、報知要求情報に対応するユーザー情報が付加された印刷ジョブを判別する。
【００４５】
また、操作パネル７も受付部１０として機能する。たとえば、操作パネル７（タッチパネルディスプレイ７１）は、報知要求情報の入力を受け付けるとき、図４に示すような入力画面７０Ａを表示する。この入力画面７０Ａには、報知要求情報を入力するための入力欄Ｃ１およびＣ２が配される。
【００４６】
そして、制御部１１０は、入力画面７０Ａの入力欄Ｃ１に情報が入力され、「ＯＫ」キーに対する操作を検知した場合、報知要求情報としてＩＤが入力されたと判断する。すなわち、制御部１１０は、入力画面７０Ａの入力欄Ｃ１に入力されたＩＤを報知要求情報として扱う。
【００４７】
たとえば、入力画面７０Ａの入力欄Ｃ１には、社員ＩＤを報知要求情報として入力することができる。この場合、制御部１１０は、前述の対応関係情報に基づき、報知要求情報として入力された社員ＩＤに対応するユーザー情報を判別し、その後、ジョブ実行履歴に基づき、当該判別したユーザー情報が付加された印刷ジョブを判別する。すなわち、制御部１１０は、報知要求情報に対応するユーザー情報が付加された印刷ジョブを判別する。
【００４８】
なお、入力画面７０Ａの入力欄Ｃ１には、印刷ジョブに付加されるユーザー情報（ユーザーＩＤ）を報知要求情報として入力することもできる。この場合、制御部１１０は、ジョブ実行履歴に基づき、報知要求情報として入力されたユーザー情報（ユーザーＩＤ）に合致するユーザー情報を判別するとともに、当該判別したユーザー情報（ユーザーＩＤ）が付加された印刷ジョブを判別する。すなわち、制御部１１０は、報知要求情報に対応するユーザー情報が付加された印刷ジョブを判別する。
【００４９】
また、制御部１１０は、入力画面７０Ａの入力欄Ｃ２に情報が入力され、「ＯＫ」キーに対する操作を検知した場合、報知要求情報としてパスワードが入力されたと判断する。すなわち、制御部１１０は、入力画面７０Ａの入力欄Ｃ２に入力されたパスワードを報知要求情報として扱う。
【００５０】
たとえば、パスワードの使用を所望するユーザーは、印刷ジョブの実行要求に際して、ＰＣ２００にてパスワードを設定する。ユーザーによってパスワードが設定され、印刷設定画面の画面内に配された所定アイコン（印刷ジョブの実行要求を受け付けるためのアイコン）に対する操作が行われると、ＰＣ２００は、ユーザーによって設定されたパスワードをユーザー情報の一情報として印刷ジョブに付加し、パスワードが付加された印刷ジョブを画像形成装置１００へ送信する。その後、パスワードを含む印刷ジョブが印刷部２にて実行されると、その印刷ジョブのパスワードもユーザー情報の一情報としてジョブ実行履歴に加えられる。
【００５１】
入力画面７０Ａの入力欄Ｃ２に報知要求情報としてのパスワードが入力されると、制御部１１０は、ジョブ実行履歴に基づき、報知要求情報として入力されたパスワードに合致するパスワードを判別するとともに、当該判別したパスワードが付加された印刷ジョブを判別する。すなわち、制御部１１０は、報知要求情報に対応するユーザー情報が付加された印刷ジョブを判別する。
【００５２】
そして、制御部１１０は、受付部１０（操作パネル７またはカードリーダー９）に入力された報知要求情報に対応するユーザー情報が付加された印刷ジョブを判別すると、当該入力された報知要求情報に対応するユーザー情報が付加された印刷ジョブの排出先を報知するための処理を行う。
【００５３】
たとえば、制御部１１０は、操作パネル７に指示し、排出先の報知を行わせる。すなわち、操作パネル７は、受付部１０に入力された報知要求情報に対応するユーザー情報が付加された印刷ジョブの排出先を報知する。なお、制御部１１０は、ジョブ実行履歴に基づき、印刷ジョブの排出先を判別する。
【００５４】
制御部１１０から指示を受けた操作パネル７は、たとえば、図５に示すような報知画面７０Ｂを表示する。この報知画面７０Ｂには、受付部１０に入力された報知要求情報に対応するユーザー情報（ユーザーＩＤなど）、および、当該ユーザー情報が付加された印刷ジョブの排出先のトレイ情報（排紙トレイ８１の識別名など）を示すメッセージＭＳ１が配される。なお、図５において、「○○」にはユーザー情報が挿入され、「△△」にはトレイ情報が挿入される。この構成では、操作パネル７が「報知部」に相当する。
【００５５】
あるいは、制御部１１０は、受付部１０に入力された報知要求情報に対応するユーザー情報が付加された印刷ジョブを判別すると、当該判別した印刷ジョブの印刷物が排出されている排紙トレイ８１のランプ８３を点灯または点滅させる。この構成では、ランプ８３が「報知部」に相当する。
【００５６】
以下に、図６に示すフローチャートを参照し、排出先の報知時に行う処理の流れについて説明する。図６に示すフローチャートは、受付部１０が報知要求情報の入力を受け付けたときにスタートする。
【００５７】
ステップＳ１１において、制御部１１０は、報知要求情報に対応するユーザー情報が付加された印刷ジョブの実行履歴が有るか否かを判断する。その結果、報知要求情報に対応するユーザー情報が付加された印刷ジョブの実行履歴が有ると制御部１１０が判断した場合には、ステップＳ１２に移行する。
【００５８】
ステップＳ１２に移行すると、制御部１１０は、報知要求情報に対応するユーザー情報が付加された印刷ジョブの排出先の報知を行わせる。すなわち、制御部１１０は、メッセージＭＳ１（報知要求情報に対応するユーザー情報が付加された印刷ジョブの排出先のトレイ情報を示すメッセージ）を配した報知画面７０Ｂを操作パネル７に表示させる。あるいは、制御部１１０は、報知要求情報に対応するユーザー情報が付加された印刷ジョブの印刷物が排出されている排紙トレイ８１のランプ８３を点灯または点滅させる。ここで、報知要求情報に対応するユーザー情報が付加された印刷ジョブを従前に複数回実行していた場合には、直近の印刷ジョブの排出先の報知が行われる。
【００５９】
なお、操作パネル７を用いた報知およびランプ８３を用いた報知の両方が行われてもよい。また、操作パネル７を用いた報知およびランプ８３を用いた報知のいずれを行うかをユーザーが選択できてもよい。
【００６０】
ステップＳ１１において、報知要求情報に対応するユーザー情報が付加された印刷ジョブの実行履歴が無いと制御部１１０が判断した場合には、排出先の報知は行われず、本フローは終了する。なお、この場合に、報知要求情報に対応するユーザー情報が付加された印刷ジョブが実行されていない旨を報知してもよい。
【００６１】
＜印刷物を誤って持ち去ったユーザーの特定＞
制御部１１０は、受付部１０に報知要求情報が入力されたとき、報知要求情報に対応するユーザー情報が付加された印刷ジョブの排出先における印刷物の有無を検知する。この結果、印刷物が存在しないことを検知すれば、制御部１１０は、受付部１０に入力された報知要求情報に対応するユーザー情報が付加された印刷ジョブの排出先から印刷物がすでに持ち去られたと判断する。言い換えると、制御部１１０は、受付部１０に入力された報知要求情報に対応するユーザー情報が付加された印刷ジョブを印刷物紛失ジョブと認定する。
【００６２】
そして、制御部１１０は、図７に示すように、印刷物がすでに持ち去られた（紛失した）旨を報知するためのメッセージＭＳ２（「印刷物紛失情報」に相当）を操作パネル７に表示させる。たとえば、操作パネルは、報知画面７０Ｃを表示し、報知画面７０Ｃの画面内にメッセージＭＳ２を配する。図７において、「□□」には、報知要求情報に対応するユーザー情報（ユーザーＩＤ）が挿入される。
【００６３】
また、制御部１１０は、図８に示すような報知画面７０Ｄの表示を操作パネル７に行わせる。報知画面７０Ｄには、印刷物紛失ジョブの印刷物を誤って持ち去ったユーザーを特定するためのメッセージＭＳ３（「ユーザー特定情報」に相当）が配される。たとえば、操作パネル７は、報知画面７０Ｃ（図７参照）の表示中に、ソフトキーＳＫに対するタッチ操作が行われると、表示画面を報知画面７０Ｃから報知画面７０Ｄに切り替える。あるいは、報知画面７０Ｃの画面内にメッセージＭＳ３を配してもよい。図８において、「××」には、印刷物紛失ジョブの印刷物を誤って持ち去ったと予測されるユーザーのユーザー情報（たとえば、ユーザーＩＤ）が挿入される。
【００６４】
ここで、先行印刷ジョブの実行後、先行印刷ジョブの排出先に印刷物が残ったまま、先行印刷ジョブの排出先と同じ排出先に印刷物紛失ジョブの印刷物が排出されていた場合（先行印刷ジョブの印刷物と印刷物紛失ジョブの印刷物とが同一の排紙トレイ８１に混在していた場合）には、印刷物紛失ジョブの実行要求元ユーザーが印刷物を取りに来る前に、先行印刷ジョブの印刷物を取りに来たユーザーが印刷物紛失ジョブの印刷物も一緒に持ち去った可能性がある。
【００６５】
あるいは、印刷物紛失ジョブの実行後、印刷物紛失ジョブの排出先に印刷物が残ったまま、印刷物紛失ジョブの排出先と同じ排出先に後行印刷ジョブの印刷物が排出されていた場合（印刷物紛失ジョブの印刷物と後行印刷ジョブの印刷物とが同一の排紙トレイ８１に混在していた場合）には、印刷物紛失ジョブの実行要求元ユーザーが印刷物を取りに来る前に、後行印刷ジョブの印刷物を取りに来たユーザーが印刷物紛失ジョブの印刷物も一緒に持ち去った可能性がある。
【００６６】
そこで、制御部１１０は、印刷物紛失ジョブの実行前に、印刷物紛失ジョブと排出先が同じ第１印刷ジョブを実行させ、印刷物紛失ジョブの排出先に印刷物が存在することを検知したまま印刷物紛失ジョブを実行させた後、印刷物紛失ジョブに付加されたユーザー情報に対応する報知要求情報が入力されるまでの間に、印刷物紛失ジョブの排出先に印刷物が存在しないことを検知した場合、第１条件が満たされていると判断する。また、制御部１１０は、印刷物紛失ジョブの実行後に、印刷物紛失ジョブの排出先に印刷物が存在することを検知したまま印刷物紛失ジョブと排出先が同じ第１印刷ジョブを実行させた後、印刷物紛失ジョブに付加されたユーザー情報に対応する報知要求情報が入力されるまでの間に、印刷物紛失ジョブの排出先に印刷物が存在しないことを検知した場合にも、第１条件が満たされていると判断する。
【００６７】
そして、制御部１１０は、第１条件が満たされていると判断すると、第１印刷ジョブの実行要求元ユーザーが誤って印刷物を持ち去った可能性がある旨の報知を行わせる。すなわち、この場合、図８に示した報知画面７０ＤのメッセージＭＳ３の「××」には、第１印刷ジョブの実行要求元ユーザーを示す情報（たとえば、ユーザーＩＤ）が挿入されることなる。
【００６８】
また、印刷物紛失ジョブの実行後、印刷物紛失ジョブの実行要求元ユーザーが印刷物を取りに来る前に、印刷物紛失ジョブとは排出先が異なる他の印刷ジョブの実行要求元ユーザーが印刷物紛失ジョブの印刷物を誤って持ち去る場合もある。この場合、前記他の印刷ジョブの排出先には、印刷物が残ったままとなる。
【００６９】
そこで、制御部１１０は、印刷物紛失ジョブの実行後、印刷物紛失ジョブに付加されたユーザー情報に対応する報知要求情報が入力されるまでの間に、印刷物紛失ジョブとは排出先が異なる第２印刷ジョブの排出先に印刷物が存在することを検知したまま、印刷物紛失ジョブの排出先に印刷物が存在しないことを検知した場合、第２条件が満たされていると判断する。
【００７０】
そして、制御部１１０は、第２条件が満たされていると判断すると、第２印刷ジョブの実行要求元ユーザーが誤って印刷物を持ち去った可能性がある旨の報知を行わせる。すなわち、この場合、図８に示した報知画面７０ＤのメッセージＭＳ３の「××」には、第２印刷ジョブの実行要求元ユーザーを示す情報（たとえば、ユーザーＩＤ）が挿入されることなる。
【００７１】
なお、印刷物紛失ジョブの印刷物を誤って持ち去った可能性が最も高いユーザーは、印刷物紛失ジョブと同じ排出先に印刷物が排出された印刷ジョブの実行要求元ユーザーである。このため、制御部１１０は、第１条件および第２条件の両方が満たされていると判断した場合、第１印刷ジョブの実行要求元ユーザーを示す情報を少なくとも報知画面７０Ｄの画面内に表示させる。たとえば、第１印刷ジョブの実行要求元ユーザーを示す情報だけを表示してもよい。
【００７２】
ただし、第１条件および第２条件の両方が満たされている場合に、第１印刷ジョブの実行要求元ユーザーを示す情報および第２印刷ジョブの実行要求元ユーザーを示す情報の両方を報知画面７０Ｄの画面内に表示してもよい。この場合、第１印刷ジョブの実行要求元ユーザーを示す情報を第２印刷ジョブの実行要求元ユーザーを示す情報よりも上側に表示してもよいし、第１印刷ジョブの実行要求元ユーザーを示す情報が強調されるように表示形態（文字サイズや色など）を変えてもよい。
【００７３】
本実施形態の画像形成装置１００は、上記のように、印刷ジョブの実行要求元から、実行要求元のユーザー情報が付加された印刷ジョブを受信する通信部１２０と、通信部１２０が受信した印刷ジョブを実行する印刷部２と、複数の排紙トレイ８１を含み、複数の排紙トレイ８１のうちいずれかの排紙トレイ８１に、印刷部２で実行された印刷ジョブの印刷物を排出する仕分け装置８（排出部）と、複数の排紙トレイ８１にそれぞれ設けられ、対応する排紙トレイ８１における印刷物の有無に応じて出力値を変化させる複数の排紙センサー８２と、複数の排紙センサー８２の各出力値に基づいて、対応する排紙トレイ８１における印刷物の有無検知を行い、通信部１２０が印刷ジョブを受信すると、複数の排紙トレイ８１のうち印刷物が存在しない排紙トレイ８１を優先的に排出先として設定し、設定した排出先に、印刷部２で実行された印刷ジョブの印刷物を排出させる制御部１１０と、印刷部２で実行された印刷ジョブの排出先を記憶する記憶部１１３と、ユーザーが排出先の報知を受けるために入力する情報である報知要求情報の入力をユーザーから受け付ける受付部１０と、受付部１０に入力された報知要求情報に対応するユーザー情報が付加された印刷ジョブの排出先を報知する操作パネル７（報知部）およびランプ９（報知部）と、を備える。
【００７４】
本実施形態の構成では、印刷ジョブが実行されると、複数の排紙トレイ８１のうち、印刷物が存在しない排紙トレイ８１（排出された印刷物が残っていない排紙トレイ８１）が優先的に排出先として設定され、その設定された排出先に、印刷ジョブの印刷物が排出される。これにより、複数の印刷ジョブ（先行印刷ジョブと後行印刷ジョブ）の各印刷物が同一の排紙トレイ８１に混在した状態になるのを抑制することができる。したがって、印刷物を取りに来たときに、印刷物を仕分ける作業を行わなくてもよくなるので、ユーザーの利便性が向上する。また、印刷物を取りに来たユーザーが自身の印刷物と一緒に別ユーザーの印刷物も誤って持ち去ってしまう（別ユーザーの印刷物が紛失してしまう）という不都合の発生も抑制することができる。
【００７５】
さらに、本実施形態の構成では、報知要求情報を入力すると、その報知要求情報に対応するユーザー情報が付加された印刷ジョブの排出先が報知される。これにより、印刷物を取りに来たユーザーからすると、複数の排紙トレイ８１のうちいずれの排紙トレイ８１に自身の印刷物が排出されているかを簡単に知ることができ、結果として自身の印刷物を探し出す作業を省くことができるので、利便性が良い。また、２つ以上の排紙トレイ８１にそれぞれ印刷物が存在する状態において、印刷物を取りに来たユーザーが別ユーザーの印刷物が排出されている排紙トレイ８１から当該印刷物を誤って持ち去ってしまう、という不都合が発生し難くなるので、印刷物が紛失してしまうのを抑制することもできる。
【００７６】
また、本実施形態では、上記のように、制御部１１０は、受付部１０に報知要求情報が入力されたとき、受付部１０に入力された報知要求情報に対応するユーザー情報が付加された印刷ジョブの排出先に印刷物が存在しないことを検知すれば、受付部１０に入力された報知要求情報に対応するユーザー情報が付加された印刷ジョブを印刷物が紛失した印刷物紛失ジョブと認定し、印刷物が紛失した旨を報知するためのメッセージＭＳ２（印刷物紛失情報）を操作パネル７（表示部）に表示させる。このように構成すれば、印刷物を取りに来たユーザーの印刷物が紛失している場合、その旨を直ちに印刷物を取りに来たユーザーに認識させることができる。また、印刷物を取りに来たユーザーからすると、自身の印刷物が紛失している場合、自身の印刷物を複数の排紙トレイ８１から探し出す作業を行う前に、自身の印刷物が紛失している旨を知ることができるので、無駄な作業（自身の印刷物を複数の排紙トレイ８１から探し出す作業）を行わなくてもよくなる。
【００７７】
また、本実施形態では、上記のように、制御部１１０は、第１条件が満たされているとき、印刷物紛失ジョブの印刷物を誤って持ち去ったユーザーを特定するためのユーザー特定情報として、第１印刷ジョブの実行要求元ユーザーを示す情報を表示させる。また、制御部１１０は、第２条件が満たされているとき、印刷物紛失ジョブの印刷物を誤って持ち去ったユーザーを特定するためのユーザー特定情報として、第２印刷ジョブの実行要求元ユーザーを示す情報を表示させる。その結果、印刷物を取りに来たユーザーからすると、容易に、自身の印刷物を誤って持ち去ったユーザーを特定できるので、利便性が良い（自身の印刷物を誤って持ち去ったユーザーを探す手間が省ける）。
【００７８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７９】
２  印刷部
７  操作パネル（受付部、報知部、表示部）
８  仕分け装置（排出部）
９  カードリーダー（受付部）
８１  排紙トレイ
８２  排紙センサー
８３  ランプ（報知部）
１００  画像形成装置
１１０  制御部
１１３  記憶部
１２０  通信部
【図１】
0006406160.tif 000002
【図２】
0006406160.tif 000003
【図３】
0006406160.tif 000004
【図４】
0006406160.tif 000005
【図５】
0006406160.tif 000006
【図６】
0006406160.tif 000007
【図７】
0006406160.tif 000008
【図８】
0006406160.tif 000009